(57)【要約】【課題】  結び目部から下方へ垂下する大剣部と小剣部から成り、上記結び目部には着用具を備えた簡易型ネクタイの提供。【解決手段】  結び目部１を樹脂の成形品とし、結び目部１の表面９には大剣部２と同一系統の色彩又は図柄を形成し、上記大剣部２と小剣部３の上端を結び目部１の下端に連結している。【選択図】    図１
2015025214.tif 000002
【特許請求の範囲】
【請求項１】
結び目部と該結び目部から下方へ垂下する大剣部から成り、上記結び目部には着用具を備えた簡易型ネクタイにおいて、上記結び目部を樹脂製とし、結び目部の表面には色彩又は図柄を形成し、上記大剣部の上端を結び目部の下端に接続したことを特徴とする簡易型ネクタイ。
【請求項２】
上記結び目部の下端に大剣部と小剣部を接続した請求項１記載の簡易型ネクタイ。
【請求項３】
上記結び目部を射出成形した請求項１、又は請求項２記載の簡易型ネクタイ。
【請求項４】
上記結び目部を樹脂板を用いて曲げ成形した請求項１、又は請求項２記載の簡易型ネクタイ。
【請求項５】
上記結び目部に大剣部、又は大剣部と小剣部を着脱可能に接続した請求項１、請求項２、請求項３、又は請求項４記載の簡易型ネクタイ。
【請求項６】
上記結び目部にスワロフスキー等の装飾品を取付けた請求項１、請求項２、請求項３、請求項４、又は請求項５記載の簡易型ネクタイ。
【請求項７】
結び目部の両側に蝶片を有し、該結び目部には着用具を備えた簡易型蝶ネクタイにおいて、上記結び目部を樹脂製とし、結び目部の表面は色彩又は図柄を形成し、上記両蝶片を結び目部の両側に接続したことを特徴とする簡易型蝶ネクタイ。
【発明の詳細な説明】
【技術分野】
【０００１】
本発明は結び目を作ることなく手軽に着用することが出来る簡易型ネクタイに関するものである。
【背景技術】
【０００２】
ネクタイには色々な種類があり、用途に応じて使い分けられている。一般のビジネスマンが着用するネクタイは逆三角形の結び目の下方に帯状の大剣部と小剣部が垂れ下がる形態であるが、上記結び目を美しく結び上げるのは容易でなく着用には時間がかかる。特に、通勤するビジネスマンにとって、出勤前の限られた時間に美しく結び上げなければならず、毎日の着用作業は時間に追われて大変である。
【０００３】
一般にワイシャツ等の襟の下にネクタイを通して首にかけ、首元を見ながら結び、左右のバランスそして表に出ている部分と裏に隠れている部分の長さの調節を行って、左右の襟の間から見える結び目が綺麗になるように調節して固定する。帯状の布片であるネクタイを装着する時は、結び目をつくるという煩雑な操作をしなければならず、これを形良く結ぶにはある程度の時間、及び経験を要する。
【０００４】
そこで、近年では予め結び目のみが別途形成され、これに襟下に巻回させるループ部（環状バンド）が取り付けられた構成の簡易型ネクタイも色々と流通している。  また、結び目に着用部を取付け、この着用部を襟元に係止することが出来る簡易型ネクタイも知られている。
【０００５】
特開２０１０−２４２２２８号に係る「簡易ネクタイ」は、剣の長さ調整を極めて簡単に行うことが可能で、何度でも繰り返し結び目を作ることが可能なようにしている。
そこで、衿の下側に通して首周りに付ける首紐と、好みの位置で前後に二つ折りにして前記首紐に掛けるネクタイ本体と、二つ折りのネクタイ本体の上部に結び目を作るための結び目布とを備え、ネクタイ本体に結び目を作るとき、ネクタイ本体の首紐よりやや下側位置に結び目布の留め輪を通し、結び目布を後方に向けて首紐の上から前方へ折り返してネクタイ本体の正面上部に重ね、次いで、結び目布の底辺左右角部を首紐の下に通してネクタイ本体の両側から後方に折り返して留め手段で留めている。
【０００６】
特開２００２−３３９１２８号に係る「簡易ネクタイ」は、ネクタイの装着及び着脱容易なようにしている。
そこで、大剣，小剣，結び目から構成されるネクタイ本体と、通常のファスナ体及び公知の締結具から構成される環状からなり、ファスナ体の締結具を外観からでは見えない位置で結び目内に掛止めしておくのであるが、この場合予めファスナ体の締結具の上方は環状に、下方は締結された状態で結び目の下端から下方に位置させておく。
【０００７】
ところで、ネクタイを着用する為に繰り返し結び目を作る為に、該結び目部分の生地が擦り切れたり破れたりし、この結び目部が最も損傷する。また、ワイシャツの襟下に巻き付けて着用したネクタイは結び目部がワイシャツの正面に位置することで、該結び目部はアゴ下に接することで、アゴ下の汚れや汗が付着して汚れる。この汚れを除去する為にはネクタイを洗濯しなくてはならないが、一般の衣類のように簡単に洗うことは容易でない。
【特許文献１】特開２０１０−２４２２２８号に係る「簡易ネクタイ」
【特許文献２】特開２００２−３３９１２８号に係る「簡易ネクタイ」
【発明の開示】
【発明が解決しようとする課題】
【０００８】
このように、従来のネクタイには上記のごとき問題がある。本発明が解決しようとする課題はこの問題点であり、所定の形状の結び目を前以て備えると共に、手軽に着用することが出来、さらに結び目部が汚れた場合には洗浄することが可能な簡易型ネクタイを提供する。
【課題を解決するための手段】
【０００９】
本発明に係るネクタイの基本的な形態は従来と同じく、概略逆三角形をした結び目部の下方に帯状の剣部が垂れ下がっているが、上記結び目部は樹脂製とし、そして樹脂製の結び目部表面には色彩又は図柄を形成している。すなわち、樹脂で結び目部を成形し、この結び目部はその表面に色彩又は図柄がプリントされ、結び目部の下端には剣部が接続している。ここで、剣部は大剣部のみとする場合、又は大剣部と小剣部とする場合がある。
【００１０】
一方、図柄を前以て形成した樹脂板を用いて曲げ成形することで結び目部を形成することも出来る。この場合には結び目部表面には既に色彩又は図柄がある為にプリントは必要でなく、プリントされた図柄でない為に色落ちすることもなく、何時までも綺麗な結び目部が保たれる。さらに、結び目部には図柄の他に装飾品を固定する場合もある。
【００１１】
また、結び目部は樹脂の成形品であり、襟元正面に配置される為に、該結び目部には着用具を備えている。ただし、着用具の具体的な構造は限定せず、一般には首に巻き付けるバンド又はワイシャツの襟元を挟み込む金具を用いている。しかも、上記バンドの具体的な構造は自由であり、また金具の具体的な構造も限定しないことにする。そして、結び目部に接続して垂下する剣部を固定することなく、着脱自在に接続する場合もある。
【発明の効果】
【００１２】
本発明に係るネクタイはその結び目部が樹脂製であり、その為にネクタイを着用する際に結び目を結ぶ必要がなく、着用に要する時間は短くなる。そして、ネクタイを着用する場合の最も難しい結び目部を作る作業が不要となることで、外観上は常に綺麗な結び目部が具現されて着用したネクタイは美しくバランスが保たれる。
【００１３】
そして、長期間にわたってネクタイを着用することで結び目部の表面に汗やホコリが付着して汚れた場合には、樹脂製である為に洗浄液にて簡単に拭き取ることが可能である。すなわち、殆ど汚れが付きにくい剣部まで洗濯する必要がなく、結び目部だけの汚れを拭き取るだけでよい。その為に、本発明のネクタイは結び目部が損傷することはなく、付着した汚れを簡単に洗い落とすことが出来る為に、その耐久性は大きく延びることが出来る。
一方、結び目部に接続する剣部を着脱可能とするならば、結び目部と剣部の組み合わせを自由に選択してネクタイの着用が可能となる。
【図面の簡単な説明】
【００１４】
【図１】本発明に係る簡易型ネクタイを示す正面図。
【図２】本発明に係る簡易型ネクタイを示す背面図。
【図３】着用具を介してネクタイを着用した場合の側面図。
【図４】結び目部を示す実施例で、（ａ）は平面図、（ｂ）正面図、（ｃ）背面図。
【図５】結び目部に備えた着用具の具体例。
【図６】結び目部に取付けた着用具の別形態。
【発明を実施するための形態】
【００１５】
図１、図２は本発明に係るネクタイを示す実施例であり、図１は正面図、図２は背面図をそれぞれ表している。同図の１は結び目部、２は大剣部、３は小剣部を表し、結び目部１から上記大剣部２と小剣部３が下方へ延びている。そして、結び目部１の背面側には着用具４を備え、該着用部４は押え板５と受け部６で構成され、押え板５は軸を基点として揺動することが出来るようになっている。
【００１６】
図３はネクタイを着用した場合の側面図を示しているが、棒状をした受け部６と押え板５とでワイシャツの襟元７を挟み込んで取付けることが出来る。
ワイシャツの襟元７に取付けているボタン８を掛け、この状態でネクタイを装着することが出来る。ここで、押え板５は受け部６との間に襟元７をバネ力を付勢して挟み込も構造としており、その為に、結び目部１が襟元７から外れることはない。
【００１７】
ところで、本発明のネクタイでは上記結び目部１を樹脂製とし、同図に示す結び目部１は樹脂を材質として射出成形したものである。勿論、前以て模様を形成している樹脂製板を用いてプレス加工にて曲げ成形することも出来る。図４は該結び目部１を単独で表した具体例であり、（ａ）は平面図、（ｂ）は正面図、（ｃ）は背面図をそれぞれ表している。同図に示すように結び目部１は中空体として構成し、その為に樹脂製であっても重く成らないようになっており、また表面９には大剣部２と同じ図柄がプリントされている。勿論、完全に同一図柄である必要はなく、結び目部１が大剣部２と調和性があればよく、さらに、図柄ではなく調和がとれる色彩を形成する場合もある。
【００１８】
従って、他人には一般のネクタイを結んで形成した結び目部１であると認識される。そして、結び目部１の下端には穴が設けられ、この穴にネクタイの大剣部２と小剣部３の上端が嵌入して抜けないように止着されている。ここで、具体的な止着手段は限定せず、一般的には接着剤にて固定することが出来る。
一方、結び目部１に大剣部２及び小剣部３を固定することなく、分離できるように接続することも出来る。例えば、結び目部１と大剣部２及び小剣部３の上端にマグネットを取付け、該マグネットを介して接続することも可能である。
そして、結び目部１の背面側にはワイシャツの襟元７に取付ける為の着用具４を有し、該着用具４は押え板５と受け部６で構成している。
【００１９】
図５は結び目部１の断面を示しているが、押え板５の基部は軸１０に取付けられ、その為に軸１０を中心として押え板５は揺動することが出来る。図５の（ｂ）、（ｃ）に示すように軸１０には角型ブロック１１が設けられ、角型ブロック１１の面１２ａ，１２ｂには板バネ１３が当接している。面１２ａに板バネ１３が当接している（ｂ）では、押え板５は倒れて先端は受け部６に当たっている。これに対して面１２ｂが板バネ１３に当接する（ｃ）では、押え板５は起立して受け部６から離れる。
【００２０】
そこで、ネクタイを着用する場合には、押え板５を起立して受け部６との間に空間を形成し、この空間にワイシャツの襟元７を嵌めて押え板５を倒すならば、該襟元７は押え板５と受け部６とで挟まれる。この場合、板バネ１３のバネ力が付勢して襟元７を挟み込むようにしている。そして、面１２ａにて接している角型ブロック１１は独りでに回転することはなく、結び目部１は着用具４を介して襟元に取付けられる。ただし、着用具４を構成する押え板５の揺動機構は図５に示す場合に限定することはしない。
【００２１】
図６は本発明の他の実施例である。このネクタイでは結び目部１にゴムバンド１４を取付けている。すなわち、このゴムバンド１４が着用具４であり、ワイシャツの襟の周りに巻き付けることでネクタイを着用することが出来る。該ゴムバンド１４には連結金具１５を有し、ワイシャツの襟を立てた状態でゴムバンド１４を首に巻き付け、首の背後で連結金具１５にて連結する。
ところで、図２に示すように首に巻き付けて着用する一般的なネクタイでは大剣部２と小剣部３を有しているが、本発明のように樹脂製の結び目部１に着用具４を取付けているネクタイでは小剣部３は不要と成り、大剣部２のみでネクタイを構成してもよい。
【００２２】
ところで、本発明が対象とするネクタイは、前記図１、図２に示す形態に限らず、蝶ネクタイにも適用することが出来る。蝶ネクタイは中央の結び目部の両側に蝶片を取付けている。そして、該蝶ネクタイも結び目部は樹脂製とし、蝶片は布地で構成し、布製の蝶片は結び目部の両側に止着されている。そして、着用具としては前記図５に示したように受け部と押え板とで構成したり、又はゴムバンドを取付けることも出来る。
【００２３】
一方、結び目部１の表面に図柄を形成する場合のみならず、スワロフスキー等の色々な装飾品を取付けることも可能であり、従来のネクタイでは得ることが出来ない装飾性が向上する。この場合、樹脂製の結び目部１が汚れた場合には洗濯機で洗うことなく拭き取ることが出来る為に、装飾品にキズが付くことはない。
【符号の説明】
【００２４】
１   結び目部
２   大剣部
３   小剣部
４   着用具
５   押え板
６   受け部
７   襟元
８   ボタン
９   表面
10   軸
11   角型ブロック
12   面
13   板バネ
14   ゴムバンド
15   連結金具
【図１】
2015025214.tif 000003
【図２】
2015025214.tif 000004
【図３】
2015025214.tif 000005
【図４】
2015025214.tif 000006
【図５】
2015025214.tif 000007
【図６】
2015025214.tif 000008